(57)【特許請求の範囲】
【請求項１】
内面を永久磁石との接着面にした天板の外周囲に、永久磁石を囲繞し得る態様で起立する側板を設けると共に、前記天板内面の永久磁石との接着面には、鈍角の錐形状をした多数の窪みを一定間隔毎に配列させ、
前記カバーにおいて、前記側板の開口側端部から前記天板側へ迫り出す複数の折り曲げ部を設け、この折り曲げ部が多数のカバーを混在させた際の絡み防止片を形成することを特徴とする非可逆回路素子の永久磁石取付け用カバー。
【請求項２】
内面を永久磁石との接着面にした天板の外周囲に、永久磁石を囲繞し得る態様で起立する側板を設けると共に、前記天板内面の永久磁石との接着面には、鈍角の錐形状をした多数の窪みを一定間隔毎に配列させ、
前記カバーにおいて、前記側板の開口側端部から前記天板側へ迫り出す複数の折り曲げ部を設け、この折り曲げ部が多数のカバーを混在させた際の絡み防止片を形成すると共に、永久磁石を前記天板の所定接着面に誘導するように、永久磁石の外形に適合させて配置した位置決め片を形成することを特徴とする非可逆回路素子の永久磁石取付け用カバー。
【請求項３】
前記カバーにおいて、前記窪みは鈍角の角錐状に形成することを特徴とする請求項１または請求項２に記載した非可逆回路素子の永久磁石取付け用カバー。
【発明の詳細な説明】
【０００１】
【発明の属する技術分野】
本発明は、携帯電話その他のマイクロ波無線通信機などに使用する集中定数型の非可逆回路素子（アイソレータ、サーキュレータ）に係り、特に非可逆回路素子に使用される永久磁石を接着する金属ケースのカバーの改良に関する。
【０００２】
【従来の技術】
この種の非可逆回路素子であるアイソレータは、電波の一方向性素子として、アンテナの負荷変動による反射電力を吸収すると共に、マイクロ波増幅器の動作が不安定になることを防止する目的で使用されているが、その主要構成は例えば特開平９−４６１０４号公報や特開平９−１９９９０９号公報などに開示されているとおりである。
【０００３】
すなわち、軟鉄などの磁性体によるカバー（蓋）及びケース（箱）で磁気閉回路を形成する金属ケース内に、フェライトコアと交叉状に配置した中心導体部及び、中心導体部に直流磁界を印加する永久磁石を収容させた構成であり、永久磁石は金属ケースのカバー内面に位置決めした状態で固着されている。
【０００４】
カバーに対する永久磁石の取付けは、例えば先の特開平９−４６１０４号公報に開示された発明のように半田付けする場合、同公報に先行技術として開示されているように、カバーに切り起こし状態で形成した突起片に永久磁石をかしめ付ける場合や、カバーの接着面に網目状の凹凸を設けて永久磁石と接着する場合、先の特開平９−１９９９０９号公報に開示された発明のように、下面側がフェライトコアを保持する樹脂モールドの上面側で永久磁石を保持する場合などの形態が採られていた。
【０００５】
【発明が解決しようとする課題】
これら従来技術による永久磁石の取付け構造では、半田付けする場合には、熱によって永久磁石が減磁して性能を低下させる虞もあり、切り起こした突起片にかしめ付けする場合には、脆性な永久磁石を損傷させたり、磁場の分布を乱して性能を低下させたりする虞もあり、接着する場合には、接合強度に難点があり、樹脂モールドに保持する場合には、樹脂モールドの厚み分だけ嵩むので、より小型化と薄型化が求められている携帯電話などには好ましくない。
【０００６】
これらの中で、接着を用いる場合が最も安価で簡便な手段ではあるが、特に携帯電話のアイソレータにおける金属カバーでは、鉄材（ＳＰＣＣ）に導電性の良い銀などによるメッキ処理を施すと共に、メッキ処理の硫化による変色防止用として脂肪酸有機化合物などを変色防止処理剤として付着させており、この変色防止処理剤がシリコーン系の接着剤による接着強度を低下させる。
【０００７】
このために、網目状の凹凸にしたカバーの接着面に接着する形態を採った場合に、網目状の凹凸に付着したメッキ処理剤及び変色防止処理剤が目詰まりして不均一な被膜による接着面を形成し、永久磁石を密着した状態で接合できない虞もあり、接着強度の低下やばらつきを生ずる虞があると共に、所定の直流磁界を中心導体部に印加できないで、電磁的性能を低下させたりする虞もある。
【０００８】
そこで本発明では、これら従来技術の課題を解決し得る非可逆回路素子の永久磁石取付け用カバーを提供するものであり、特に永久磁石を金属ケースのカバー内面と接着する最も安価で簡便な形態に適合するように改良を加え、その接着強度を向上させることを主たる目的とする。
【０００９】
【課題を解決するための手段】
本発明による非可逆回路素子の永久磁石取付け用カバーは、内面を永久磁石との接着面にした天板の外周囲に、永久磁石を囲繞し得る態様で起立する側板を設けると共に、前記天板内面の永久磁石との接着面には、鈍角の錐形状をした多数の窪みを一定間隔毎に配列させたことを特徴とする。
【００１０】
この永久磁石取付け用カバーでは、製造工程でメッキ処理及び変色防止処理を行った際に、窪みに形成された錐形斜面に沿って処理剤を容易に流動させることができると共に、接着剤を塗布した永久磁石と接着する際に、カバー内面の接着面に永久磁石を圧接させると、余剰の接着剤が錐形斜面に沿って窪み内に流動して充填され、接着剤との接触面積を拡大した状態で接着される。
【００１１】
これにより、目詰まりのない状態で接着面と窪みには均一なメッキ処理及び変色防止処理の被膜を形成することが可能となり、接着剤の塗布量に多少の過多があっても余剰分は窪みによって調整され、永久磁石に塗布した接着剤は均一な接着面に密着し且つ接着剤との接触面積を拡大した状態で接着されるので、ばらつきの少ない安定した強固な接着強度が得られると共に、直流磁界を印加する電磁的性能も損なわれることがない。
【００１２】
また、窪みの形状を鈍角の錐形状に形成した他の利点としては、全体形状が小径（例えば、４ｍｍ角程度）できわめて薄い板厚（例えば、０．２ｍｍ以下）で形成されたカバーに対して、窪みのプレス加工を行う際に小さな加圧力で容易に加工できるので、板材の延びによる凹凸や変形を防止できる。
【００１３】
すなわち、仮に窪みを円柱状や角柱状にした場合には、プレス加工を行う際に大きな加圧力を必要とし、この加圧力によって板材の延びによる凹凸や変形を生ずると共に、窪みの底部内周面はメッキ処理剤や変色防止処理剤或いは接着剤が流動し難いので、これが要因で接着強度や電磁的性能を低下させる虞があることなどを、鈍角の錐形状に形成した窪みの形状によって解消している。
【００１４】
前記窪みは、鈍角の角錐状又は円錐状にする形態を採ることができるが、特に鈍角の角錐状した形態を採ることがより望ましく、角錐形状の窪みと円錐形状の窪みとを比べた場合、角錐形状の方がパンチでプレス加工する際に加工が容易であること、接着する際における余剰の接着剤がＶ溝状の接合斜辺に沿って窪み内に誘導される状態で良好に充填されると共に、充填された接着剤はＶ溝状の接合斜辺の周辺部で特に強固に窪み内面と接合されること、などの利点がある。
【００１５】
前記カバーにおいて、前記側板の開口側端部から前記天板側へ迫り出す複数の折り曲げ部を設け、この折り曲げ部が多数のカバーを混在させた際の絡み防止片を形成する形態を採ることができる。
【００１６】
この永久磁石取付け用カバーでは、多数のカバーを混在させた状態で一括して取り扱う際に効果を発揮するものであり、例えば製造工程でメッキ処理や変色防止処理を行ったり、製品を移送する場合に小径なカバーを個別に処理又は移送することが困難で一括して取り扱うことになるが、その際に天板側へ迫り出した絡み防止片によって、他のカバーが内部へ侵入できないように作用し、各カバーが相互に絡み合わうことを防止する。
【００１７】
前記カバーにおいて、前記側板の開口側端部から前記天板側へ迫り出す複数の折り曲げ部を設け、この折り曲げ部が永久磁石を前記天板の所定接着面に誘導するように、永久磁石の外形に適合させて配置した位置決め片を形成する形態を採ることができる。
【００１８】
この永久磁石取付け用カバーでは、カバーの天板内面に永久磁石を接着する際に、適宜な挟時具を用いて接着剤が塗布された永久磁石を各位置決め片の間に挿入させると、永久磁石は天板内面の所定接着面に誘導されて容易且つ正確に位置決めが行われ、その状態で接着面に圧接させると接着することができ、この位置決め片は接着後の永久磁石を光学的観測手段又は目視などで位置確認を行う際の指標としても利用することができる。
【００１９】
前記カバーにおいて、前記側板の開口側端部から前記天板側へ迫り出す複数の折り曲げ部を設け、この折り曲げ部が多数のカバーを混在させた際の絡み防止片を形成すると共に、永久磁石を前記天板の所定接着面に誘導するように、永久磁石の外形に適合させて配置した位置決め片を形成する形態を採る得る。
【００２０】
この永久磁石取付け用カバーでは、折り曲げ部によって絡み防止片と位置決め片を形成するようにしたので、多数のカバーを混在させて一括して取り扱った状態でも、各カバーが相互に絡み合わうことを防止できると共に、永久磁石を天板の所定接着面に容易且つ正確に位置決めして接着を行うことができる。
【００２１】
【発明の実施の形態】
以下に、本発明による非可逆回路素子の永久磁石取付け用カバーについて、その好適な実施形態を示す添付図面を参照して詳しく説明するが、図１はカバーの展開図、図２はカバーの斜視図、図３はカバーの縦断面図、図４はカバーの要部拡大縦断面図、をそれぞれ示す。
【００２２】
カバー１は、鉄材（ＳＰＣＣ）などの金属薄板を図１で示す展開図のように打抜き加工した後に、図２で示す斜視図のように折り曲げ加工し、導電性の良い銀などによるメッキ処理を施すと共に、メッキ処理の硫化による変色防止用として脂肪酸有機化合物などを用いた変色防止処理を行う工程で製造することが可能である。
【００２３】
カバー１は、内面を永久磁石２の接着面にした天板３と、永久磁石２を囲繞し得る態様で天板３の外周囲に起立する側板４とで構成され、天板３の内面に形成した永久磁石２との接着面には鈍角の錐形状をした多数の窪み５を一定間隔毎に配列させると共に、側板４の開口側端部から天板３側へ迫り出す複数の折り曲げ部６が設けられている。
【００２４】
図示のカバー１は、天板３の四方の外周囲から側板４を起立状に折り曲げ加工し、底面側が開口する方形状の箱形に形成しているが、必要ならば円筒状の箱形にする形態を採ることも可能であり、また接着して使用する永久磁石２も方形板状のものを想定しているが、円板状のものを使用することも可能である。
【００２５】
窪み５は、角錐状又は円錐状をした鈍角な錐形状であるが、図示の実施形態ではより望ましい鈍角な角錐形状を採っており、この角錐形状は三角以上の多角形状を採ることが可能であるが、図示の実施形態では開き角を略１３０度にした鈍角な四角錐形状を用い、開口が０．２ｍｍ角で板厚を０．１５ｍｍにした天板３に対して最大深さ０．０４ｍｍで穿設されている。
【００２６】
窪み５の形成は、四角錐形状をしたパンチを用いてプレス加工されるので、円柱状や角柱状に加工するのに比べて板材の延びによる凹凸や変形を少なくすることができるが、それでもプレス加工時に板材が延びてカバー１全体の寸法精度が損なわれる虞もあるので、打抜き加工する以前に予め加工しておくことが望ましい。
【００２７】
折り曲げ部６は、側板４の開口側端部の４カ所を内側へＬ字状に折り曲げて形成され、その先端側が絡み防止片７を形成すると共に、絡み防止片７の一部には直角状に切り欠いた位置決め防止片８が形成され、各位置決め防止片８の間の内径は永久磁石２の外径に適合するように設定されている。
【００２８】
カバー１は、図２のようにおり曲げ加工された状態で、メッキ処理及や変色防止処理が行われるが、その際に多数のカバー１をバラバラの状態で処理槽内にに混在させた場合でも、絡み防止片７によって各カバー１が相互に絡みつくのを防止することができ、移送する際にも同様に機能する。
【００２９】
また、天板３に形成された鈍角な錐形状の窪みは、メッキや変色防止の処理液が滞留し難い流動性を損なわない形状であるから、均一で良好な処理を行うことが期待できるが、カバー１の内部に処理液を滞留させないためには、天板３の角隅部に切欠部１０を設けることが望ましく、この切欠部１０は側板４の折り曲げ加工を容易にすることにも寄与する。
【００３０】
次に、天板３内面の接着面に永久磁石２を接着する際には、永久磁石２の側面を適宜の挟持具（図示を省略）で支持した状態で、４カ所に設けた各位置決め片８の内径に永久磁石２の外径を整合させて挿入すると、永久磁石２を所定の接着面上に位置決めすることができる。
【００３１】
永久磁石２は、予め接着面にシリコーン系の接着剤が塗布されており、天板３内面の接着面に圧接させると、余剰な接着剤は窪み５内へ順次流動して充填されるが、この窪み５を鈍角な錐形状特に図示の実施形態のように四角錐形状にしておくと、隣接する各辺で形成するＶ溝状の接合斜辺に沿って接着剤が容易に誘導されながら順次流入して窪み５内へ隈無く充填される。
【００３２】
窪み５内に接着剤が充填されると、カバー１内面に対する接着剤の接合面積が増大するが、特に錐形状の窪み５は円柱状や角柱状の場合より隈無く充填され易いので、充填むらによる接着剤の剥離がなくて永久磁石２との接着強度が確実に向上し、同じ錐形状でも円錐形状より角錐形状の方が接合斜辺での接着強度が期待できる。
【００３３】
また、接着後における永久磁石２の取付け位置は位置決め片８を指標にして目視や光学顕微鏡その他の観測手段で適正か否かを確認し、位置ずれによって電磁的性能が損なわれるようなものは除去することが可能である。
【００３４】
なお、折り曲げ部分６による絡み防止片７と位置決め片８は、いずれか一方を単独で設けたり、双方を個別に設ける形態も採り得るが、図示のように絡み防止片７の一部を利用して位置決め片８を形成すると、製作が容易である。
【図面の簡単な説明】
【図１】本発明を適用した実施形態におけるカバーの展開図を示す。
【図２】同じくカバーの斜視図を示す。
【図３】同じくカバーの縦断面図を示す。
【図４】同じくカバーの要部拡大縦断面図を示す。
【符号の説明】
１  カバー
２  永久磁石
３  天板
４  側板
５  窪み
６  折り曲げ部
７  絡み防止片
８  位置決め片
９  接着剤
１０  切欠部
【図１】
0004435296.tif 000002
【図２】
0004435296.tif 000003
【図３】
0004435296.tif 000004
【図４】
0004435296.tif 000005